(57)【特許請求の範囲】
【請求項１】
ローカルネットワーク内の現金処理端末群と前記ローカルネットワークの外部に存在する外部ネットワークとの間に設けられる情報処理装置であって、
前記現金処理端末群を構成する現金処理端末により紙幣が読み取られて得られた記番号を前記ローカルネットワーク内において取得する情報取得部と、
前記記番号を記憶部に記憶させる記憶制御部と、
偽札の記番号に関する条件を取得する条件取得部と、
前記条件を満たす記番号を前記記憶部から取得して前記現金処理端末群を構成するいずれかの現金処理端末または前記ローカルネットワークとは異なるローカルネットワーク内の現金処理端末に通知する記番号通知部と、
を備える、情報処理装置。
【請求項２】
前記記番号通知部は、前記現金処理端末群を構成するいずれかの現金処理端末と前記ローカルネットワークとは異なるローカルネットワーク内の現金処理端末との中から選択された現金処理端末に通知する、
請求項１に記載の情報処理装置。
【請求項３】
前記偽札の記番号に関する条件は、前記記憶部に記憶されている前記記番号に対してマッチングを行う番号および位置の組み合わせにより構成される、
請求項１に記載の情報処理装置。
【請求項４】
ローカルネットワーク内の現金処理端末群を構成する現金処理端末であって、
前記現金処理端末と前記ローカルネットワークの外部に存在する外部ネットワークとの間に設けられる情報処理装置から、偽札の記番号に関する条件を満たす記番号を取得する記番号取得部と、
前記記番号取得部により取得された前記記番号が付された紙幣が所定位置に移動されるように制御する移動制御部と、
を備える、現金処理端末。
【請求項５】
前記所定位置は、紙幣のリジェクト庫または紙幣の指定収納庫のいずれかである、
請求項４に記載の現金処理端末。
【請求項６】
ローカルネットワーク内の現金処理端末群を構成する現金処理端末と、前記現金処理端末と前記ローカルネットワークの外部に存在する外部ネットワークとの間に設けられる情報処理装置とを含む情報処理システムであって、
前記現金処理端末は、
紙幣の読み取りによって得られた記番号を通知する情報通知部を備え、
前記情報処理装置は、
前記現金処理端末により通知された前記記番号を前記ローカルネットワーク内において取得する情報取得部と、
前記記番号を記憶部に記憶させる記憶制御部と、
偽札の記番号に関する条件を取得する条件取得部と、
前記条件を満たす記番号を前記記憶部から取得して前記現金処理端末群を構成するいずれかの現金処理端末または前記ローカルネットワークとは異なるローカルネットワーク内の現金処理端末に通知する記番号通知部と、
を備える、情報処理システム。
【請求項７】
前記記番号通知部は、前記現金処理端末群を構成するいずれかの現金処理端末と前記ローカルネットワークとは異なるローカルネットワーク内の現金処理端末との中から選択された現金処理端末に通知する、
請求項６に記載の情報処理システム。
【請求項８】
前記偽札の記番号に関する条件は、前記記憶部に記憶されている前記記番号に対してマッチングを行う番号および位置の組み合わせにより構成される、
請求項６に記載の情報処理システム。
【発明の詳細な説明】
【技術分野】
【０００１】
本発明は、情報処理装置、現金処理端末および情報処理システムに関するものである。
【背景技術】
【０００２】
一般に、銀行などの金融機関には、紙幣を取り扱う現金処理端末が設置される。現金処理端末の例としては、ＡＴＭ（Ａｕｔｏｍａｔｉｃ  ｔｅｌｌｅｒ  ｍａｃｈｉｎｅ）、窓口用現金入出金機（ＴＣＲ：Ｔｅｌｌｅｒ  Ｃａｓｈ  Ｒｅｃｙｃｌｅｒ）、出納用現金入出金機、紙幣整理機などが挙げられる。これらの現金処理端末は、ローカルネットワークに接続されている（例えば、特許文献１参照）。また、当該ローカルネットワークには、これらの現金処理端末の上位端末に相当する、ＡＴＭ制御部、テラー端末、出納用端末、紙幣整理機用端末などが接続される。
【０００３】
紙幣には紙幣の種類ごとに通し番号（以下、「記番号」と言う。）が印刷されており、現金処理端末は、紙幣に印刷された記番号を読み取る機能を有している。ＡＴＭにより読み取られた記番号は、ＡＴＭ制御部に蓄積され得る。同様に、窓口用現金入出金機により読み取られた記番号は、テラー端末に蓄積され、出納用現金入出金機により読み取られた記番号は、出納用端末に蓄積され、紙幣整理機により読み取られた記番号は、紙幣整理機用端末に蓄積され得る。
【先行技術文献】
【特許文献】
【０００４】
【特許文献１】特開２０１０−０４９３７３号公報
【発明の概要】
【発明が解決しようとする課題】
【０００５】
しかしながら、かかるシステムにおいては、現金処理端末により読み取られた記番号は、現金処理端末自身、若しくは、その上位端末（上記した例では、ＡＴＭ制御部、テラー端末、出納用端末、紙幣整理機用端末など）に蓄積されているに過ぎない。そのため、現金処理端末により読み取られた記番号が集中管理されておらず、記番号の検索や分析を容易に行うことができない。
【０００６】
また、かかるシステムにおいては、記番号を集中管理することを想定した場合、現金処理端末がローカルネットワークの外部に存在する基幹ネットワークを介して勘定系システムに記番号を送信し、勘定系システムにおいて記番号を集中管理する必要がある。しかし、勘定系システムは、銀行が厳格にデータを管理する場所であるため、セキュリティや通信量の観点から、記番号の検索や分析のために勘定系システムに容易にアクセスすることができない。
【０００７】
また、現金処理端末には保守メニューなどにより所定の記番号を登録することが可能である。例えば、市場で偽札が発見された場合などに、その偽札の記番号（より詳細には、記番号の全部または一部の数字）を現金処理端末に登録することが可能である。偽札の記番号を現金処理端末に登録した後は、当該記番号が付された紙幣を検出した現金処理端末は、当該紙幣を強制的にリジェクトしたり指定収納庫に隔離したりして、取引停止させることが可能である。
【０００８】
しかし、偽札の記番号の登録は、現金処理端末ごとに操作者（例えば、行員、保守員など）が手入力する必要があるため、操作者の作業時間を低減することができず、偽札の記番号の入力ミスも生じやすかった。
【０００９】
そこで、本発明は、上記問題に鑑みてなされたものであり、本発明の目的とするところは、現金処理端末により読み取られた記番号の検索や分析を容易に行うことが可能であり、偽札の記番号を現金処理端末に登録する手間を低減する技術を提供することにある。
【課題を解決するための手段】
【００１０】
上記問題を解決するために、本発明のある観点によれば、ローカルネットワーク内の現金処理端末群と前記ローカルネットワークの外部に存在する外部ネットワークとの間に設けられる情報処理装置であって、前記現金処理端末群を構成する現金処理端末により紙幣が読み取られて得られた記番号を前記ローカルネットワーク内において取得する情報取得部と、前記記番号を記憶部に記憶させる記憶制御部と、偽札の記番号に関する条件を取得する条件取得部と、前記条件を満たす記番号を前記記憶部から取得して前記現金処理端末群を構成するいずれかの現金処理端末または前記ローカルネットワークとは異なるローカルネットワーク内の現金処理端末に通知する記番号通知部と、を備える、情報処理装置が提供される。
【００１１】
前記記番号通知部は、前記現金処理端末群を構成するいずれかの現金処理端末と前記ローカルネットワークとは異なるローカルネットワーク内の現金処理端末との中から選択された現金処理端末に通知してもよい。
【００１２】
前記偽札の記番号に関する条件は、前記記憶部に記憶されている前記記番号に対してマッチングを行う番号および位置の組み合わせにより構成されてもよい。
【００１３】
また、本発明のある観点によれば、ローカルネットワーク内の現金処理端末群を構成する現金処理端末であって、前記現金処理端末と前記ローカルネットワークの外部に存在する外部ネットワークとの間に設けられる情報処理装置から、偽札の記番号に関する条件を満たす記番号を取得する記番号取得部と、前記記番号取得部により取得された前記記番号が付された紙幣が所定位置に移動されるように制御する移動制御部と、を備える、現金処理端末が提供される。
【００１４】
前記所定位置は、紙幣のリジェクト庫または紙幣の指定収納庫のいずれかであってもよい。
【００１５】
また、本発明のある観点によれば、ローカルネットワーク内の現金処理端末群を構成する現金処理端末と、前記現金処理端末と前記ローカルネットワークの外部に存在する外部ネットワークとの間に設けられる情報処理装置とを含む情報処理システムであって、前記現金処理端末は、紙幣の読み取りによって得られた記番号を通知する情報通知部を備え、前記情報処理装置は、前記現金処理端末により通知された前記記番号を前記ローカルネットワーク内において取得する情報取得部と、前記記番号を記憶部に記憶させる記憶制御部と、偽札の記番号に関する条件を取得する条件取得部と、前記条件を満たす記番号を前記記憶部から取得して前記現金処理端末群を構成するいずれかの現金処理端末または前記ローカルネットワークとは異なるローカルネットワーク内の現金処理端末に通知する記番号通知部と、を備える、情報処理システムが提供される。
【００１６】
前記記番号通知部は、前記現金処理端末群を構成するいずれかの現金処理端末と前記ローカルネットワークとは異なるローカルネットワーク内の現金処理端末との中から選択された現金処理端末に通知してもよい。
【００１７】
前記偽札の記番号に関する条件は、前記記憶部に記憶されている前記記番号に対してマッチングを行う番号および位置の組み合わせにより構成されてもよい。
【発明の効果】
【００１８】
以上説明したように本発明によれば、現金処理端末により読み取られた記番号の検索や分析を容易に行うことが可能である。また、偽札の記番号を現金処理端末に登録する手間を低減することが可能である。
【図面の簡単な説明】
【００１９】
【図１】一般的な情報処理システムの構成を示す図である。
【図２】本発明の実施形態に係る情報処理システムの構成を示す図である。
【図３】本発明の実施形態に係る現金処理端末の機能構成例を示す図である。
【図４】本発明の実施形態に係る情報処理装置の機能構成例を示す図である。
【図５】情報処理装置に蓄積される蓄積データの構成例を示す図である。
【図６】情報処理装置に蓄積される蓄積データの構成例を示す図である。
【図７】情報処理装置に蓄積される蓄積データの構成例を示す図である。
【図８】情報処理システムの運用例を示す図である。
【図９】情報処理システムの動作の流れの例を示す図である。
【図１０】現金処理端末により表示される記番号登録画面の例を示す図である。
【図１１】現金処理端末により表示される登録先設定画面の例を示す図である。
【発明を実施するための形態】
【００２０】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２１】
また、本明細書および図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００２２】
［一般的な技術の説明］
まず、一般的な情報処理システム１０’の構成について説明する。図１は、一般的な情報処理システム１０’の構成を示す図である。図１に示すように、一般的な情報処理システム１０’は、紙幣を取り扱う現金処理端末２００、現金処理端末２００よりも上位の端末に相当する上位端末３００、ＡＴＭ監視装置４００および勘定系システム６００を備えている。
【００２３】
上記したように、現金処理端末２００および上位端末３００は、ローカルネットワーク内に存在する（すなわち、現金処理端末２００および上位端末３００は、ローカルネットワークに接続されている）。ローカルネットワークは、例えば、ＬＡＮ（Ｌｏｃａｌ  Ａｒｅａ  Ｎｅｔｗｏｒｋ）により構築される。基幹ネットワーク５００は、ローカルネットワークの外部に存在する外部ネットワークであり、例えば、ＷＡＮ（Ｗｉｄｅ  Ａｒｅａ  Ｎｅｔｗｏｒｋ）により構築される。基幹ネットワーク５００には、勘定系システム６００が接続されている。
【００２４】
現金処理端末２００は、銀行などの金融機関に設置されている。現金処理端末２００の例としては、ＡＴＭ２００Ａ、窓口用現金入出金機２００Ｂ、出納用現金入出金機２００Ｃおよび紙幣整理機２００Ｄなどが挙げられる。また、上位端末３００の例としては、ＡＴＭ制御部３００Ａ、テラー端末３００Ｂ、出納用端末３００Ｃおよび紙幣整理機用端末３００Ｄなどが挙げられる。
【００２５】
ＡＴＭ２００Ａは、顧客が紙幣の入金や出金を行うための端末であり、紙幣を格納するカセットＣを装備し運用されている。また、ＡＴＭ２００Ａは、その内部にＡＴＭ制御部３００Ａを有しており、ＡＴＭ監視装置４００に接続されている。図１に示した例では、ＡＴＭ監視装置４００には１台のＡＴＭ２００Ａが接続されているが、複数台のＡＴＭ２００Ａが接続されていてもよい。ＡＴＭ２００Ａは、例えば、金融機関の店舗に設置されている。ＡＴＭ監視装置４００は、基幹ネットワーク５００を介して勘定系システム６００に接続されているのが一般的である。
【００２６】
窓口用現金入出金機２００Ｂは、行員によるテラー端末３００Ｂへの操作に基づいて、顧客から受け取った紙幣を入金したり、顧客の要請に従って紙幣を出金したりする端末である。窓口用現金入出金機２００Ｂは、例えば、金融機関の窓口カウンタに設置されている。窓口用現金入出金機２００Ｂも、ＡＴＭ２００Ａと同様に、紙幣を格納するカセットＣを装備し運用されている。テラー端末３００Ｂは、基幹ネットワーク５００を介して勘定系システム６００に接続されているのが一般的である。
【００２７】
出納用現金入出金機２００Ｃは、行員による出納用端末３００Ｃへの操作に基づいて、ＡＴＭ２００Ａや窓口用現金入出金機２００Ｂから回収したお金を計数して現金の有高を計算する機能を有している。出納用現金入出金機２００Ｃは、例えば、銀行の窓口カウンタの奥やバックヤードに設置されている。出納用現金入出金機２００Ｃも、ＡＴＭ２００Ａと同様に、紙幣を格納するカセットＣを装備し運用されている。出納用端末３００Ｃは、基幹ネットワーク５００を介して勘定系システム６００に接続されているのが一般的である。
【００２８】
紙幣整理機２００Ｄは、行員による紙幣整理機用端末３００Ｄへの操作に基づいて、ＡＴＭ２００Ａや窓口用現金入出金機２００Ｂから回収したお金を計数して現金の選別をし、さらに所定枚数毎（例えば、１００枚毎）に帯封する機能を有している。紙幣整理機２００Ｄは、所定枚数毎に帯封した束紙幣に帯番号を印字して出力する。紙幣整理機２００Ｄは、印字した帯番号を日付時分秒単位で記憶することが可能である。紙幣整理機２００Ｄは、例えば、銀行の窓口カウンタの奥やバックヤードに設置されている。紙幣整理機２００Ｄは、紙幣を保管するカセットＣを有していない。紙幣整理機用端末３００Ｄは、勘定系システム６００に接続されているのが一般的である。
【００２９】
ＡＴＭ２００Ａ、窓口用現金入出金機２００Ｂおよび出納用現金入出金機２００Ｃそれぞれにおいて使用されるカセットＣには互換性があるのが一般的である。また、カセットＣは、それぞれ固有のＩＤ（以下、「カセットＩＤ」とも言う。）を有しており、カセットＩＤはカセットＣの内部に存在するメモリにより記憶されている。カセットＩＤは、現金処理端末２００に装着されると、現金処理端末２００により読み取られる。
【００３０】
現金処理端末２００は、固有のＩＤ（以下、「装置ＩＤ」とも言う。）を有しており、装置ＩＤは、現金処理端末２００の内部に存在するメモリにより記憶されている。上記したように、紙幣には記番号が印刷されており、現金処理端末２００は、紙幣に印刷された記番号を読み取る機能を有している。ＡＴＭ２００Ａにより読み取られた記番号は、ＡＴＭ制御部３００Ａに蓄積され得る。同様に、窓口用現金入出金機２００Ｂにより読み取られた記番号は、テラー端末３００Ｂに蓄積され、出納用現金入出金機２００Ｃにより読み取られた記番号は、出納用端末３００Ｃに蓄積され、紙幣整理機２００Ｄにより読み取られた記番号は、紙幣整理機用端末３００Ｄに蓄積され得る。
【００３１】
しかしながら、情報処理システム１０’においては、現金処理端末２００により読み取られた記番号は、現金処理端末２００、若しくは、その上位端末（上記した例では、ＡＴＭ制御部３００Ａ、テラー端末３００Ｂ、出納用端末３００Ｃ、紙幣整理機用端末３００Ｄなど）に蓄積されているに過ぎない。そのため、現金処理端末２００により読み取られた記番号が集中管理されておらず、記番号の検索や分析を容易に行うことができない。
【００３２】
また、情報処理システム１０’においては、記番号を集中管理することを想定した場合、現金処理端末２００がローカルネットワークの外部に存在する基幹ネットワーク５００を介して勘定系システム６００に記番号を送信し、勘定系システム６００において記番号を集中管理する必要がある。しかし、勘定系システム６００は、銀行が厳格にデータを管理する場所であるため、セキュリティや通信量の観点から、記番号の検索や分析のために勘定系システム６００に容易にアクセスすることができない。
【００３３】
そこで、本発明の実施形態においては、現金処理端末２００により読み取られた記番号の検索や分析を容易に行うことが可能な技術を提案する。
【００３４】
［実施形態の説明］
続いて、本発明の実施形態に係る情報処理システム１０の構成について説明する。図２は、本発明の実施形態に係る情報処理システム１０の構成を示す図である。図２に示すように、情報処理システム１０は、情報処理装置１００を備える点において、一般的な情報処理システム１０’と主に異なる。特に、情報処理装置１００は、ローカルネットワーク内の１または複数の現金処理端末２００（以下、「現金処理端末群」と言う。）と基幹ネットワーク５００との間に設けられる。
【００３５】
情報処理装置１００は、現金処理端末群を構成する現金処理端末２００により紙幣が読み取られて得られた記番号をローカルネットワーク内において取得し、記番号を記憶させる。かかる構成によれば、現金処理端末２００により読み取られた記番号が集中管理されるため、記番号の検索や分析を容易に行うことが可能となる。
【００３６】
また、銀行が厳格にデータを管理する勘定系システム６００とは異なる情報処理装置１００により記番号が管理される。そのため、勘定系システム６００により記番号が管理される場合と比較して、セキュリティや通信量を考慮したアクセス制限が緩和される。したがって、記番号の検索や分析のために情報処理装置１００に容易にアクセスすることが可能となる。
【００３７】
なお、情報処理装置１００は、図２に示したように独立した装置として設けられてもよいが、他の装置と一体化されていてもよい。例えば、情報処理装置１００は、出納用端末３００Ｃと紙幣整理機用端末３００Ｄとのうちの少なくともいずれか一方と一体化された状態でローカルネットワーク内の現金処理端末群と基幹ネットワーク５００との間に設けられてもよい。
【００３８】
また、現金処理端末２００の台数は特に限定されない。また、図２に示した例では、現金処理端末２００の例として、ＡＴＭ２００Ａ、窓口用現金入出金機２００Ｂ、出納用現金入出金機２００Ｃ、紙幣整理機２００Ｄが示されているが、現金処理端末２００の種類も特に限定されない。したがって、現金処理端末群を構成する現金処理端末２００には、少なくとも、ＡＴＭ２００Ａ、窓口用現金入出金機２００Ｂ、出納用現金入出金機２００Ｃおよび紙幣整理機２００Ｄのいずれかが含まれてもよい。
【００３９】
以上、本発明の実施形態に係る情報処理システム１０の構成について説明した。続いて、本発明の実施形態に係る現金処理端末２００の機能構成例について説明する。
【００４０】
［構成の説明］
図３は、本発明の実施形態に係る現金処理端末２００の機能構成例を示す図である。図３に示すように、本発明の実施形態に係る現金処理端末２００は、通信部２１０、制御部２２０、記憶部２３０および読取部２４０を備える。
【００４１】
通信部２１０は、制御部２２０による制御に従って他の装置と通信を行う機能を有する。制御部２２０は、現金処理端末２００の動作全体を制御する機能を有する。記憶部２３０は、制御部２２０を動作させるためのプログラムやデータを記憶することができる。また、記憶部２３０は、制御部２２０の動作の過程で必要となる各種データを一時的に記憶することもできる。読取部２４０は、取引において扱われる紙幣の読み取りを行う機能を有する。
【００４２】
なお、図３に示した例では、通信部２１０、記憶部２３０および読取部２４０は、現金処理端末２００の内部に存在するが、通信部２１０、記憶部２３０および読取部２４０は、現金処理端末２００の外部に備えられていてもよい。また、制御部２２０は、情報生成部２２１と、情報通知部２２２と、記番号取得部２２３と、移動制御部２２４とを備える。以下、制御部２２０が備えるこれらの各機能部の詳細について説明する。
【００４３】
情報生成部２２１は、現金処理端末２００での取引において取り扱われた紙幣に関するデータ（以下、「紙幣データ」とも言う。）を生成する機能を有する。ここで、紙幣データには、少なくとも紙幣の記番号が含まれ、取引情報、認識結果、その他の情報が含まれていてもよい。例えば、情報生成部２２１は、読取部２４０により読み取られた読取データから記番号を認識することができる。また、情報生成部２２１は、読取データから記番号を正常に認識することができない場合には、紙幣の読取データのうち記番号部分のデータを記番号の代わりに使用してもよい。
【００４４】
例えば、情報生成部２２１は、読取部２４０により読み取られた読取データから認識結果を認識することも可能である。また、情報生成部２２１は、所定の場所から、取引情報、その他の情報を取得することも可能である。
【００４５】
情報通知部２２２は、情報生成部２２１により生成された紙幣データを情報処理装置１００に通知する機能を有する。また、情報通知部２２２は、情報生成部２２１により生成された紙幣データを勘定系システム６００に通知する機能を有する。勘定系システム６００に紙幣データが通知される場合には、通信部２１０により紙幣データが基幹ネットワーク５００を介して勘定系システム６００に送信される。
【００４６】
記番号取得部２２３は、偽札の記番号に関する条件を満たす記番号を情報処理装置１００から取得する。記番号取得部２２３は、例えば、偽札の記番号に関する条件を満たす記番号が情報処理装置１００から通知された場合には、当該記番号を取得することができる。偽札は誰に発見された紙幣であっても構わない。また、偽札の記番号に関する条件については、後に詳細に説明する。
【００４７】
移動制御部２２４は、記番号取得部２２３により取得された記番号が付された紙幣が所定位置に移動されるように制御する。紙幣の搬送路は、移動制御部２２４による制御に従って、当該記番号が付された紙幣を所定位置に移動させる。所定位置は特に限定されないが、例えば、ＲＪ庫（紙幣のリジェクト庫）または紙幣の指定収納庫のいずれかであってもよい。
【００４８】
このように所定位置に偽札が移動されることによって、偽札を隔離することが可能である。また、紙幣が所定位置に移動されるとともに、現金処理端末２００による取引が停止されてもよい。なお、ここでは、情報処理装置１００に記番号を通知した現金処理端末２００と情報処理装置１００から記番号を取得する現金処理端末２００とが同一である場合を想定しているが、異なっていてもよい。
【００４９】
以上、本発明の実施形態に係る現金処理端末２００の機能構成例について説明した。続いて、本発明の実施形態に係る情報処理装置１００の機能構成例について説明する。
【００５０】
図４は、本発明の実施形態に係る情報処理装置１００の機能構成例を示す図である。図４に示すように、本発明の実施形態に係る情報処理装置１００は、通信部１１０、制御部１２０および記憶部１３０を備える。また、情報処理装置１００は、表示部１４０および入力部１５０をさらに備える。
【００５１】
通信部１１０は、制御部１２０による制御に従って他の装置と通信を行う機能を有する。制御部１２０は、情報処理装置１００の動作全体を制御する機能を有する。記憶部１３０は、制御部１２０を動作させるためのプログラムやデータを記憶することができる。また、記憶部１３０は、制御部１２０の動作の過程で必要となる各種データを一時的に記憶することもできる。表示部１４０は、制御部１２０による制御に従って情報を表示する機能を有する。入力部１５０は、操作者による情報の入力を受け付ける機能を有する。
【００５２】
なお、図４に示した例では、通信部１１０、記憶部１３０、表示部１４０および入力部１５０は、情報処理装置１００の内部に存在するが、通信部１１０、記憶部１３０、表示部１４０および入力部１５０は、情報処理装置１００の外部に備えられていてもよい。また、制御部１２０は、情報取得部１２１と、記憶制御部１２２と、表示制御部１２３と、条件取得部１２４と、記番号通知部１２５とを備える。以下、制御部１２０が備えるこれらの各機能部の詳細について説明する。
【００５３】
情報取得部１２１は、現金処理端末群を構成する現金処理端末２００により生成された紙幣データをローカルネットワーク内において取得する機能を有する（すなわち、情報取得部１２１は、当該紙幣データを、ローカルネットワークを介して取得する機能を有する）。例えば、情報取得部１２１は、情報通知部２２２により通知された紙幣データをローカルネットワーク内において取得する。
【００５４】
記憶制御部１２２は、情報取得部１２１により取得された紙幣データを記憶部１３０に記憶させる。紙幣データには、少なくとも記番号が含まれる。また、情報取得部１２１により取得された紙幣データに、記番号以外の情報（例えば、取引情報、認識結果、その他の情報など）が含まれている場合には、これらの情報を当該記番号に関連付けて履歴として記憶部１３０に記憶させればよい。
【００５５】
このように、記番号以外の情報も履歴に追加されることにより、記番号以外の情報も検索や分析に利用することができる。さらに、取引情報は、現金処理端末群を構成する複数の現金処理端末２００に共通のフォーマットを有していてもよい。複数の現金処理端末２００に共通のフォーマットの取引情報が利用される場合には、現金処理端末２００によって異なるフォーマットの取引情報が利用される場合と比較して、取引情報をより検索や分析に利用し易くなる。
【００５６】
表示制御部１２３は、各種の情報が表示されるように制御する。表示制御部１２３は、例えば、後に説明するような、メニュー画面、記番号登録画面、登録先設定画面などが表示されるように制御することが可能である。このとき、表示部１４０は、表示制御部１２３による制御に従って表示を行う。
【００５７】
条件取得部１２４は、偽札の記番号に関する条件を取得する。偽札の記番号に関する条件は、記憶部１３０に記憶されている記番号に対してマッチングを行う番号および位置の組み合わせにより構成されてもよい。例えば、マッチングを行う番号が「１２３４」であり、マッチングを行う位置が「前方一致」である場合、「１２３４」で始まる記番号が偽札の記番号に関する条件を満たす。なお、マッチングを行う位置は、「前方一致」に限らず、「全部一致」「後方一致」「部分一致」などであってもよい。
【００５８】
記番号通知部１２５は、条件を満たす記番号を記憶部１３０から取得して現金処理端末群を構成するいずれかの現金処理端末２００または上記ローカルネットワーク（以下、「第１のローカルネットワーク」とも言う。）とは異なるローカルネットワーク（以下、「第２のローカルネットワーク」とも言う。）内の現金処理端末２００に通知する。記番号通知部１２５は、記憶部１３０から取得した記番号を、第１のローカルネットワーク内の現金処理端末群と第２のローカルネットワーク内の現金処理端末群とのうち、全部の現金処理端末に通知してもよいし、一部の現金処理端末に通知してもよい。
【００５９】
例えば、第２のローカルネットワークは、第１のローカルネットワークが存在する銀行店舗とは異なる銀行店舗に存在し、基幹ネットワーク５００に接続されている場合が想定される。また、例えば、記番号通知部１２５は、第１のローカルネットワーク内の現金処理端末群と第２のローカルネットワーク内の現金処理端末群との中から、選択された現金処理端末に記番号を通知してもよい。現金処理端末の選択は、例えば、操作者により入力部１５０に対して与えられた操作に基づいて記番号通知部１２５によりなされる。
【００６０】
以上、本発明の実施形態に係る情報処理装置１００の機能構成例について説明した。続いて、本発明の実施形態に係る情報処理装置１００に蓄積される蓄積データの構成例について説明する。
【００６１】
図５〜図７は、本発明の実施形態に係る情報処理装置１００に蓄積される蓄積データの構成例を示す図である。図５〜図７に示すように、蓄積データは、それぞれの記番号に対して履歴１〜ｎ（例えば、ｎ≦１６）が関連付けられて構成される。すなわち、情報処理装置１００は、現金処理端末２００から記番号および履歴を取得すると、当該記番号に関連付けて当該履歴を記憶させる。各履歴は、例えば、「取引情報」「認識結果」および「その他の情報」を含んでいる。
【００６２】
「取引情報」は、「開始」「終了」「取引」「取引者」「状態」「分離元」「集積先」を含んでいる。「開始」は、現金処理端末２００による取引が開始した日時を示し、「終了」は、現金処理端末２００による取引が終了した日時を示している。「取引」は、現金処理端末２００が行った取引の種類を示す情報であり、取引の例としては、入金、出金、施封、計数などが挙げられる。
【００６３】
「取引者」は、取引を行った者を示す情報である。例えば、ＡＴＭ２００Ａや窓口用現金入出金機２００Ｂにより入出金の取引がなされる場合には、顧客が取引者となり、窓口用現金入出金機２００Ｂにより計数の取引がなされる場合には、行員が取引者となり、出納用現金入出金機２００Ｃや紙幣整理機２００Ｄによる取引がなされる場合には、行員が取引者となる。
【００６４】
「状態」は、取引が正常に終了したか否かを示す情報である。状態の例としては、正常終了、エラー終了などが挙げられる。「集積先」は、現金処理端末２００の内部における紙幣格納場所を示す情報である。集積先の例としては、カセット、入出金口、一時保留部、集積庫、ＲＪ庫などがある。特に、ＲＪ庫は、異常な紙幣が発見された場合に当該紙幣が格納される集積先である。
【００６５】
「認識結果」は、「記番号Ｒｅａｄ結果」「券種情報」「金額」「Ｃａｔｅｇｏｒｙ」「年代情報」を含んでいる。「記番号Ｒｅａｄ結果」は、記番号を正常に読み取ることができたか否かを示している。記番号を正常に認識することができない場合には、紙幣の読取データのうち記番号部分のデータが記番号の代わりに蓄積されてもよい。「券種情報」は、紙幣を発行したエリア（例えば、国）を示す情報である。券種情報としては、アメリカの通貨単位（＝アメリカドル）、中国の通貨単位（＝中国人民元）、日本の通貨単位（＝日本円）などが挙げられる。「金額」は、紙幣の金額を示す情報である。
【００６６】
「Ｃａｔｅｇｏｒｙ」は、紙幣のカテゴリを示す情報であり、例えば、Ｃ１、Ｃ２、Ｃ３、Ｃ４ａ、Ｃ４ｂなどにより表現される。なお、Ｃ１は、紙幣以外の券が属するカテゴリであり、Ｃ２は、偽造券である疑いがある券が属するカテゴリであり、Ｃ３は、偽造券である可能性が高い券が属するカテゴリである。また、Ｃ４ａは、正常券である券が属するカテゴリであり、Ｃ４ｂは、損券である券が属するカテゴリである。「年代情報」は、紙幣の年代を示す情報である。
【００６７】
「その他の情報」は、「装置区分」「装置ＩＤ」「Ｃａｓｓｅｔｔｅ  ＩＤ」「帯番号」を含んでいる。「装置区分」は、取引を行った現金処理端末２００の区分を示す情報である。例えば、「装置区分」は、ＡＴＭ、窓口用現金入出金機、出納用現金入出金機、紙幣整理機のいずれかを示す情報であってもよい。「装置ＩＤ」は、取引を行った現金処理端末２００を識別するためのＩＤに相当する。「Ｃａｓｓｅｔｔｅ  ＩＤ」は、紙幣が格納されているカセットＣを識別するためのＩＤに相当する。「帯番号」は、紙幣整理機２００Ｄにより施封された束紙幣に印字された帯番号に相当する。
【００６８】
以上、本発明の実施形態に係る情報処理装置１００に蓄積される蓄積データの構成例について説明した。続いて、本発明の実施形態に係る情報処理システム１０を運用した場合の運用の流れについて説明する。
【００６９】
［動作の説明］
図８は、本発明の実施形態に係る情報処理システムの運用例を示す図である。図８に示すように、まず、顧客は、ＡＴＭ２００Ａや窓口用現金入出金機２００Ｂを使って紙幣の入金や出金を行う。運用終了時など現金を精算する場合、金融機関の行員は、ＡＴＭ２００Ａや窓口用現金入出金機２００ＢからカセットＣを抜き取り、抜き取ったカセットＣを出納用現金入出金機２００Ｃに装着する。
【００７０】
続いて、金融機関の行員は、出納用現金入出金機２００Ｃを用いて紙幣の計数を行い、紙幣の有高を確定させる。金融機関の行員は、出納用現金入出金機２００Ｃにより出金された紙幣を紙幣整理機２００Ｄに入金する。
【００７１】
金融機関の行員は、紙幣整理機２００Ｄを用いて、紙幣を金種別に選別したり損券と正券とのいずれかに選別したりする。ここで、損券は、損傷や汚損があり、市場に流通させない紙幣に相当する。正券は、損券ではなく、市場に再び流通させても問題ないレベルの紙幣に相当する。金融機関の行員は、紙幣整理機２００Ｄを用いて、紙幣の選別とともに所定枚数毎（例えば、１００枚毎）に帯封をして、束紙幣にする。
【００７２】
帯封された束紙幣は、行内の金庫に保管される可能性もあれば、現金センタや他の店舗に輸送される可能性もある。あるいは、渉外員（あるいは、営業担当者）が営業活動のために店外の顧客に束紙幣を持って行く可能性もある。なお、その金融機関の運用方針によっては、カセットＣに格納されたまま紙幣が行内の金庫に保管されたり、現金センタや他の店舗へ輸送されたりする場合もある。
【００７３】
渉外員や金融機関に現金を輸送する業者（現金輸送会社＝ＣＩＴ：Ｃａｓｈ  Ｉｎ  Ｔｒａｎｓｉｔ）は、出納用現金入出金機２００Ｃに紙幣を入金して計数を行い、持ち込まれた紙幣の有高を確定させる。また、渉外員や金融機関に現金を輸送する業者は、ＡＴＭ２００Ａや窓口用現金入出金機２００Ｂへの現金補充用に、金種と枚数が確定した紙幣をカセットＣに格納する。金融機関の行員は、このように紙幣が格納されたカセットＣを、ＡＴＭ２００Ａや窓口用現金入出金機２００Ｂへ装着して顧客との取引を開始する。
【００７４】
以上に示した業務フローにおいて、紙幣が各現金処理端末２００により計数される度に、現金処理端末２００により紙幣の記番号が読み取られ、紙幣データとして情報処理装置１００に通知される。通知された紙幣データは、図５〜図７に示したように、記番号と履歴とが関連付けられた形式に編集され、情報処理装置１００の記憶部１３０に蓄積される。これにより、情報処理装置１００は、紙幣の履歴（例えば、行内でどのように紙幣が取り扱われていったか）を管理することが可能となる。
【００７５】
以上、本発明の実施形態に係る情報処理システム１０を運用した場合の運用の流れについて説明した。続いて、本発明の実施形態に係る情報処理システム１０の動作の流れの例について説明する。
【００７６】
図９は、本発明の実施形態に係る情報処理システム１０の動作の流れの例を示す図である。また、図１０は、現金処理端末２００により表示される記番号登録画面の例を示す図である。図１１は、現金処理端末２００により表示される登録先設定画面の例を示す図である。なお、図９に示した動作の流れの例は、情報処理システム１０の動作の流れの例に過ぎないため、情報処理システム１０の動作は、図９に示した例に限定されないことは言うまでもない。
【００７７】
図９に示すように、まず、情報処理装置１００は、メニュー画面を表示する（ステップＳ１１）。ここでは、メニュー画面に、記番号登録機能を選択するためのボタンが含まれる場合を想定している。操作者が記番号登録機能を選択すると（ステップＳ１２）、情報処理装置１００は、記番号登録機能を起動する（ステップＳ１３）。このとき、図１０に示すように、情報処理装置１００は、記番号登録画面Ｄ１を表示することが可能である（ステップＳ１４）。
【００７８】
ここでは、記番号登録画面Ｄ１に、記番号の登録を中止するためのキャンセルボタンＤ１１、記番号の登録を実行するための実行ボタンＤ１２およびマッチングを行う番号を入力するための番号入力欄Ｄ１３が含まれる場合を例として示している。また、図１０に示した例では、対応する番号によりマッチングを行う位置（例えば、「全部一致」「前方一致」「後方一致」「部分一致」など）を選択するための選択欄も設けられている。マッチングを行う番号および位置は、上記した例では、偽札の記番号に関する条件に相当する。
【００７９】
操作者がマッチングを行う番号を番号入力欄Ｄ１３に入力し、当該番号によりマッチングを行う位置を入力し、実行ボタンＤ１２を選択すると（ステップＳ１５）、図１１に示すように、情報処理装置１００は、登録先設定画面Ｄ２を表示することが可能である（ステップＳ１６）。ここでは、登録先設定画面Ｄ２に、登録先の設定を中止するためのキャンセルボタンＤ２１および登録先の設定を実行するための実行ボタンＤ２２が含まれる場合を例として示している。
【００８０】
また、図１１に示した例では、記番号の登録形式（「全部に登録する」「個別に登録する」）を選択するための選択欄、「個別に登録する」が選択された場合に各現金処理端末に記番号を登録するか否か（例えば、「登録する」「登録しない」）を選択するための選択欄も設けられている。なお、第１のローカルネットワーク内の現金処理端末群と第２のローカルネットワーク内の現金処理端末群とのうち、全部の現金処理端末が選択可能であってもよいし、一部の現金処理端末が選択可能であってもよい。
【００８１】
操作者が登録先の現金処理端末２００を選択し、実行ボタンＤ２２を選択すると（ステップＳ１７）、情報処理装置１００は、選択された現金処理端末２００に対して、入力された番号および位置にマッチする記番号を通知する（ステップＳ１８）。記番号が通知された現金処理端末２００は、通知された記番号を登録し（ステップＳ１９）、登録完了通知を情報処理装置１００に通知する（ステップＳ２０）。情報処理装置１００は、登録完了通知を受けると、完了結果を画面表示する（ステップＳ２１）。
【００８２】
操作者は、完了結果を確認すると記番号登録機能の終了を選択すると（ステップＳ２２）、情報処理装置１００は、記番号登録機能を終了する（ステップＳ２３）。一方、記番号を登録した現金処理端末２００は、登録した記番号が付された紙幣が検出された場合には、当該紙幣を所定位置に移動させる（ステップＳ２４）。上記したように、現金処理端末２００により所定位置に偽札が移動されることによって、偽札を隔離することが可能である。
【００８３】
［効果の説明］
以上に説明したように、本発明の実施形態によれば、情報処理システム１０は、情報処理装置１００を備える点において、一般的な情報処理システム１０’と主に異なる。特に、情報処理装置１００は、ローカルネットワーク内の現金処理端末群と基幹ネットワーク５００との間に設けられる。
【００８４】
情報処理装置１００は、現金処理端末群を構成する現金処理端末２００により紙幣が読み取られて得られた記番号をローカルネットワーク内において取得し、記番号を記憶させる。かかる構成によれば、現金処理端末２００により読み取られた記番号が集中管理されるため、記番号の検索や分析を容易に行うことが可能となる。
【００８５】
また、偽札の記番号に関する条件を満たす記番号が自動的に現金処理端末に通知されることによって、偽札の記番号の登録を現金処理端末ごとに操作者（例えば、行員、保守員など）が手入力する必要がなくなり、操作者の作業時間を低減することができる。また、偽札の記番号の入力ミスを低減することが可能となる。また、記番号が通知された現金処理端末は、当該記番号が付された紙幣が検出された場合には、当該紙幣が所定位置に移動されるように制御することが可能である。
【００８６】
［変形例の説明］
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８７】
制御部１２０を構成する各ブロックは、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などから構成され、記憶部１３０により記憶されているプログラムがＣＰＵによりＲＡＭに展開されて実行されることにより、その機能が実現され得る。あるいは、制御部１２０を構成する各ブロックは、専用のハードウェアにより構成されていてもよいし、複数のハードウェアの組み合わせにより構成されてもよい。
【００８８】
制御部２２０を構成する各ブロックは、例えば、ＣＰＵ、ＲＡＭなどから構成され、記憶部２３０により記憶されているプログラムがＣＰＵによりＲＡＭに展開されて実行されることにより、その機能が実現され得る。あるいは、制御部２２０を構成する各ブロックは、専用のハードウェアにより構成されていてもよいし、複数のハードウェアの組み合わせにより構成されてもよい。
【００８９】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【符号の説明】
【００９０】
１０    情報処理システム
１００  情報処理装置
１１０  通信部
１２０  制御部
１２１  情報取得部
１２２  記憶制御部
１２３  表示制御部
１２４  条件取得部
１２５  記番号通知部
１３０  記憶部
１４０  表示部
１５０  入力部
２００  現金処理端末
２００Ａ  ＡＴＭ
２００Ｂ  窓口用現金入出金機
２００Ｃ  出納用現金入出金機
２００Ｄ  紙幣整理機
２１０  通信部
２２０  制御部
２２１  情報生成部
２２２  情報通知部
２２３  記番号取得部
２２４  移動制御部
２３０  記憶部
２４０  読取部
３００  上位端末
３００Ａ  ＡＴＭ制御部
３００Ｂ  テラー端末
３００Ｃ  出納用端末
３００Ｄ  紙幣整理機用端末
４００  ＡＴＭ監視装置
５００  基幹ネットワーク
６００  勘定系システム
Ｃ      カセット
【図１】
0005445633.tif 000002
【図２】
0005445633.tif 000003
【図３】
0005445633.tif 000004
【図４】
0005445633.tif 000005
【図５】
0005445633.tif 000006
【図６】
0005445633.tif 000007
【図７】
0005445633.tif 000008
【図８】
0005445633.tif 000009
【図９】
0005445633.tif 000010
【図１０】
0005445633.tif 000011
【図１１】
0005445633.tif 000012